(57)【特許請求の範囲】
【請求項１】
前頭部に当接させられる前側バンド部および後頭部に当接させられる後側バンド部を有する環状のバンド体と、
上記前側バンド部につながり、前頭部を覆う第１本体部と、
上記第１本体部につながって後方に延びるとともに周縁部を有し、前後方向においてひだ状に折り畳まれたプリーツを有するとともに当該プリーツの左右両端部が上記周縁部に固定された第２本体部と、
両端部が上記第１本体部の両側部に固定的に連結され、上記第２本体部の上記周縁部に沿ってループ状に設けられた屈曲変形可能な線状材と、を備え、
上記線状材と上記第２本体部とは、上記第２本体部が上記後側バンド部の上方を経て延び、当該第２本体部の後端縁が上記後側バンド部に対して空間をあけて後方に位置する縮小状態と、上記後端縁が上記縮小状態における位置に対して相対的に下位であって上記後側バンド部よりも下位に位置する延出状態と、をそれぞれ保持する形状保持手段を構成していることを特徴とする、帽子。
【請求項２】
前方周縁部が上記第１本体部につながり、かつ後方周縁部が上記後側バンド部につながる、第３本体部をさらに備える、請求項１に記載の帽子。
【請求項３】
上記第１本体部につながり、前方に延びるつば部を備える、請求項１または２に記載の帽子。
【発明の詳細な説明】
【技術分野】
【０００１】
本発明は、後頭部への日差しを遮るための日除け機能を備えた帽子に関する。
【背景技術】
【０００２】
従来、後頭部への日差しを遮るための日除け機能を備えたキャップ型の帽子が知られている（たとえば、特許文献１，２を参照）。【０００３】
特許文献１に記載された帽子は、頭部を覆うクラウン部（１）と、後頭部等を覆い、日除けのための被覆部材（４）とを備えている。ここで、被覆部材（４）は、同文献の図１、図２および明細書の段落００１８等に記載されているように、後頭部および首の後ろを覆い、肩付近まで垂れ下がっている。このような構成の帽子によれば、着用時に被覆部材（４）によって後頭部が覆われることとなり、後頭部への日差しを遮ることができる。【０００４】
しかしながら、特許文献１に記載された帽子においては、垂れ下がった被覆部材（４）が汗をかいた首にまとわりついたり、風ではためくなど、特に走る運動を行う場合において装着感に課題があった。また、クラウン部（１）と被覆部材（４）の一体感に欠けるため、デザイン上好ましい流れるフォルムを表現することが困難であった。【０００５】
特許文献２に記載された帽子は、キャップ状の帽子本体（２）と、この帽子本体の下部開口に沿う周縁部（３）と、この周縁部の前面部に設けられたツバ（６）とを備えている。上記周縁部の後方部には、上記ツバに対向し、上記帽子本体から連続して下方に延びる後面側周縁部（７）が形成されている。特許文献２の図１によく表れているように、上記帽子本体（２）は、後面側部分（Ｑ）が最も後方に突出しており、後面側周縁部（７）は上記後面側部分（Ｑ）よりも前方に位置する。そして、上記帽子本体（２）は、上記後面側部分（Ｑ）から上記後面側周縁部（７）にいたる部位が後頭部全体にフィットするように丸みを帯びた形状とされている。このような構成の帽子によれば、着用時に帽子本体（２）によって後頭部が覆われることとなり、後頭部への日差しを遮ることができる。【０００６】
しかしながら、上記従来の帽子においては、帽子本体（２）が後頭部に直接触れているので、通気性が低下しがちであった。また、たとえば後頭部の髪の量が多い場合など、着用者の髪形によっては着用しにくいといった不都合があった。
【先行技術文献】
【特許文献】
【０００７】
【特許文献１】特開２００５−２５６１９５号公報
【特許文献２】特許第３９６９６５９号公報
【発明の概要】
【発明が解決しようとする課題】
【０００８】
本発明は、このような事情のもとで考え出されたものであって、後頭部の日除け機能を備えた帽子において、上記した不都合を解消することを目的とする。
【課題を解決するための手段】
【０００９】
上記の課題を解決するため、本発明では、次の技術的手段を講じている。【００１０】
本発明によって提供される帽子は、前頭部に当接させられる前側バンド部および後頭部に当接させられる後側バンド部を有する環状のバンド体と、上記前側バンド部につながり、前頭部を覆う第１本体部と、上記第１本体部につながって後方に延びるとともに周縁部を有し、前後方向においてひだ状に折り畳まれたプリーツを有するとともに当該プリーツの左右両端部が上記周縁部に固定された第２本体部と、両端部が上記第１本体部の両側部に固定的に連結され、上記第２本体部の上記周縁部に沿ってループ状に設けられた屈曲変形可能な線状材と、を備え、上記線状材と上記第２本体部とは、上記第２本体部が上記後側バンド部の上方を経て延び、当該第２本体部の後端縁が上記後側バンド部に対して空間をあけて後方に位置する縮小状態と、上記後端縁が上記縮小状態における位置に対して相対的に下位であって上記後側バンド部よりも下位に位置する延出状態と、をそれぞれ保持する形状保持手段を構成していることを特徴としている。
【００１７】
好ましい実施の形態においては、前方周縁部が上記第１本体部につながり、かつ後方周縁部が上記後側バンド部につながる、第３本体部をさらに備える。【００１８】
好ましい実施の形態においては、上記第１本体部につながり、前方に延びるつば部を備える。【００１９】
本発明のその他の特徴および利点は、添付図面を参照して以下に行う詳細な説明によって、より明らかとなろう。
【図面の簡単な説明】
【００２０】
【図１】本発明に係る帽子の一例を示し、第２本体部が縮小状態をとるときの平面図である。
【図２】図１に示す帽子の右側面図である。
【図３】図１に示す帽子の底面図である。
【図４】図１に示す帽子を斜め後方から見た斜視図である。
【図５】図１のＶ−Ｖ線に沿う断面図である。
【図６】図１に示す帽子において、第２本体部が延出状態をとるときの平面図である。
【図７】図６に示す帽子の右側面図である。
【図８】図６に示す帽子を斜め後方から見た斜視図である。
【図９】図６のＩＸ−ＩＸ線に沿う断面図である。
【図１０】本発明に係る帽子の他の例を示し、第２本体部が縮小状態をとるときの図５と同様の断面図である。
【図１１】図１０に示す帽子において、第２本体部が延出状態をとるときの図９と同様の断面図である。
【発明を実施するための形態】
【００２１】
以下、本発明の好ましい実施の形態について、図面を参照して具体的に説明する。
【００２２】
図１〜図９は、本発明に係る帽子の一例を示している。図１〜図５に表れているように、本実施形態の帽子Ａ１は、頭部を覆うための本体１と、バンド体２と、つば部３とを備えて構成されている。
【００２３】
バンド体２は、図３、図５に表れているように、帽子Ａ１の着用時に頭部の前後左右を囲む環状とされており、前頭部に当接させられる前側バンド部２１と、後頭部に当接させられる後側バンド部２２とを有する。前側バンド部２１には、後述する第１本体部１１がつながっている。
【００２４】
一方、後側バンド部２２には本体１がつながっておらず、後側バンド部２２は、フリーな状態である。後側バンド部２２は、たとえば、伸縮性を有する素材によって構成されるとともに、面ファスナなどの適宜手段によって長さ調整が可能とされている。
【００２５】
本体１は、前頭部を覆う第１本体部１１と、この第１本体部１１につながる第２本体部１２とを有する。第１本体部１１は、たとえば略三角形状の単位片が相互に縫合されて構成されたものであり、前方周縁部１１１が前側バンド部２１と縫合されて当該前側バンド部２１につながっている。
【００２６】
第２本体部１２は、その前方周縁部１２１が第１本体部１１の後方周縁部１１２と縫合されており、後方に延びている。本実施形態において、第２本体部１２は、側頭部および後頭部を覆うように適度な丸みを帯びた形状とされている。詳細は後述するが、第２本体部１２は、図１〜図５に示される縮小状態と、図６〜図９に示される延出状態と、をとるように形状変更可能に構成されている。
【００２７】
第２本体部１２は、図１、図２、図５に表れているように、縮小状態をとるとき、左右の側頭部を覆う部分の周縁部（側方周縁部１２２，１２３）が後方に延びて後端縁１２４に至っており、適所が折り重なっている。本実施形態において、図５によく表れているように、第２本体部１２は、第１本体部１１につながる前方周縁部１２１から後端縁１２４に向かう方向においてひだ状に折り畳まれたプリーツ１２５が形成されている。プリーツ１２５の左右両端部は、側方周縁部１２２，１２３において縫い付けられている。第２本体部１２は、プリーツ加工を容易に施すことが可能な布地からなり、たとえばポリエステル繊維によって構成される。
【００２８】
本実施形態において、第２本体部１２の周縁部（側方周縁部１２２，１２３から後端縁１２４に至る領域）に沿って線状材４が設けられている。より詳細には、図５等から理解されるように、上記周縁部が袋状とされており、当該袋状部分に線状材４が挿入されている。線状材４は、たとえば所定の剛性を有しつつ屈曲可能な材料によって構成されている。そのような線状材４の材料としては、たとえば高延伸ポリエチレン樹脂を用いることができる。
【００２９】
つば部３は、その後方周縁部３１が第１本体部１１の前方周縁部１１１と縫合されて当該第１本体部１１につながっており、前方に延びている。本実施形態では、後方周縁部３１の左右両端部は第２本体部１２の側方周縁部１２２，１２３の端部と縫合されている。
【００３０】
図５に表れているように、第２本体部１２が縮小状態をとるとき、第２本体部１２は、後側バンド部２２の上方を経て当該後側バンド部２２の後方斜め下方に延びている。そして、帽子Ａ１を着用する際には、第２本体部１２の後端縁１２４は、後頭部（図５において仮想線Ｌ１で表す）よりも後方に張り出しており、図６〜９に示される延出状態をとる場合に比べて、相対的に上位に位置している。
【００３１】
本実施形態において、第２本体部１２にはプリーツ１２５が形成されるとともに第２本体部１２の周縁部に線状材４が設けられている。（詳細は後述するが、）これらプリーツ１２５および線状材４によって、縮小状態をとるときの第２本体部１２の形状が保持される。プリーツ１２５および線状材４は、本発明でいう形状保持手段を担う。
【００３２】
図６〜図９に表れているように、第２本体部１２が延出状態をとるとき、プリーツ１２５が拡がった状態となっている。縮小状態にある第２本体部１２を、延出状態をとるように形状変更させる際には、第２本体部１２の側方周縁部１２２，１２３ないし後端縁１２４を押し下げる。ここで、第２本体部１２は、上述したように縮小状態をとるときに丸みを帯びた形状である。このため、第２本体部１２は、延出状態への形状変更時において、丸みを帯びた態様を維持したままプリーツ１２５の形成領域が下方に延びるように変形させることができる。
【００３３】
その一方、第２本体部１２が縮小状態から延出状態に形状変更する際、周縁部の全長は変わらない。このため、第２本体部１２が延出状態をとるとき、図７，９から理解されるように、側方周縁部１２２，１２３、および側方周縁部１２２，１２３に挿入された線状材４は、途中で屈曲して下方に延びており、後端縁１２４に至っている。そして、第２本体部１２が延出状態をとるとき、当該第２本体部１２は後頭部（図９において仮想線Ｌ１で表す）全体を包囲する状態にあり、後頭部の日除けとして機能する。このとき、後端縁１２４は、縮小状態をとる場合に比べて相対的に下位であって、後側バンド部２２よりも下位に位置している。延出状態をとるときの第２本体部１２の形状は、線状材４の剛性によって保持される。
【００３４】
次に、帽子Ａ１の作用について説明する。
【００３５】
本実施形態の帽子Ａ１においては、頭部を覆う部分（本体１）として、前頭部を覆う第１本体部１１と、第１本体部１１の後方につながる第２本体部１２とを備える。第２本体部１２は、後側バンド部２２の上方を経て後側バンド部２２の後方に延びており、図１〜図５および図６〜図９を参照して説明したように、縮小状態および延出状態をとるように形状変更可能である。帽子Ａ１を着用する際には、上記縮小状態および延出状態のいずれの場合においても、第１本体部１１、前側バンド部２１、および後側バンド部２２が頭部に直接触れて適度にホールドされた状態となる。そして、上述のように、第２本体部１２が縮小状態および延出状態のいずれの状態をとるときにも、当該第２本体部１２の形状は保持されるため、着用者は、状況に応じて上記縮小状態または延出状態を選択することができる。
【００３６】
たとえば、屋外での着用において日差しが強くない場合には、第２本体部１２を縮小状態にしておく。ここで、図５を参照したように、第２本体部１２の後端縁１２４は後頭部よりも後方に張り出しており、第２本体部１２は後頭部に直接触れない。このような構成によれば、後頭部の通気性に優れており、また、後頭部の毛髪が着用の妨げになるのを抑制することができる。
【００３７】
一方、たとえば、日差しが強い場合には、第２本体部１２を拡げて延出状態にしておく。ここで、図９を参照したように、第２本体部１２は後頭部全体を包囲しており、後頭部の日除けとして適切に機能する。また、第２本体部１２が延出状態をとる場合においても、第２本体部１２は後頭部に直接触れず、後頭部の通気性に優れており、また、後頭部の毛髪が着用の妨げになるのを抑制することができる。
【００３８】
第２本体部１２には、第１本体部１１につながる前方周縁部１２１から後端縁１２４に向かう方向においてひだ状に折り畳まれたプリーツ１２５が形成されている。このような構成によれば、第２本体部１２が縮小状態と延出状態との間で形状変更する際、丸みを帯びた全体形状が維持される。このことは、第２本体部１２の形状の変化に拘わらず、後頭部と第２本体部１２との間に隙間を確保することが可能となる。
【００３９】
本実施形態において、第２本体部１２が縮小状態をとるとき、プリーツ１２５は折り畳まれた状態にあり、所定の剛性を有する。また、第２本体部１２の周縁部には、所定の剛性を有する線状材４が設けられている。このような構成によれば、第２本体部１２が縮小状態をとるときの第２本体部１２の形状は、折り畳まれたプリーツ１２５、および線状材４の協働によって適切に保持される。
【００４０】
また、線状材４を具備する構成によれば、第２本体部１２について、縮小状態から延出状態への形状変更が適切になされるとともに、延出状態をとるときの形状が線状材４の剛性によって保持される。
【００４１】
図１０、図１１は、本発明に係る帽子の他の例を示している。なお、図１０以降の図面において、上記実施形態と同一または類似の要素には、上記実施形態と同一の符号を付しており、適宜説明を省略する。
【００４２】
図１０、図１１に示された帽子Ａ２は、本体１、バンド体２、およびつば部３を備え、基本的構成は上記実施形態の帽子Ａ１と同じである。一方、帽子Ａ２においては、第３本体部１３が追加的に設けられている点において上記実施形態と異なっており、第３本体部１３の追加に伴う変更が施されている。なお、図１０は、第２本体部１２が縮小状態をとるときを表す。図１１は、第２本体部１２が延出状態をとるときを表す。
【００４３】
第３本体部１３は、後頭部の上寄り部分を覆うものであり、前方周縁部１３１が第２本体部１２の前方周縁部１２１に縫合されている。ここで、第２本体部１２の前方周縁部１２１は第１本体部１１の後方周縁部１１２に縫合されているため、第３本体部１３の前方周縁部１３１は、第２本体部１２の前方周縁部１２１を介して第１本体部１１につながっている。
【００４４】
第３本体部１３は、後頭部に沿うように延びており、後方周縁部１３２が後側バンド部２２につながっている。本実施形態において、後側バンド部２２は、たとえばゴム紐などの伸縮性を有する素材によって構成されている。
【００４５】
本実施形態の帽子Ａ２は、上記実施形態と同様に、縮小状態および延出状態をとるように形状変更可能な第２本体部１２を具備しているので、上記実施形態の帽子Ａ１に関して上述したのと同様の効果を奏することができる。また、本実施形態では、後頭部の上部寄り部分を覆う第３本体部１３が追加的に設けられているため、上記の帽子Ａ１と比べると、後頭部の通気性は少し低下するものの、頭部に対する帽子Ａ２のフィット感が増す。なお、第３本体部１３をメッシュ状の素材によって構成してもよく、この場合、後頭部の通気性を向上させることができる。
【００４６】
以上、本発明の具体的な実施形態を説明したが、本発明はこれに限定されるものではなく、発明の思想から逸脱しない範囲内で種々な変更が可能である。本発明に係る帽子の具体的な形状や材質なども、上記実施形態に限定されるものではない。
【００４７】
上記実施形態においては、第２本体部１２の周縁部に高延伸ポリエチレン樹脂からなる線状材４（形状保持部材）が設けられた場合を例に挙げて説明したが、形状保持部材については上記実施形態に限定されない。形状保持部材としては、上記線状材４に代えて、たとえば、アルミニウムなどの金属製ワイヤが樹脂により被覆された線状材を用いてもよく、また、帯板状の部材を用いることもできる。さらに、形状保持部材としては、複数の連結片が適度な摩擦抵抗を有するジョイントによって撓み得るように連結された構成としてもよい。
【００５０】
上記実施形態においては、つば部３を具備する構成について説明したが、つば部を具備しない構成を採用することもできる。
【００５１】
上記実施形態では、後側バンド部２２の長さ調整手法として面ファスナやゴムによる伸縮を用いる場合について説明したが、これに限定されない。たとえば、後側バンド部を２つの帯状片によって構成し、一方の帯状片に列状の複数の穴を設けるとともに、他方の帯状片に上記穴に嵌合しうる突起を設け、当該突起をどの上記穴に嵌合させるかによって後側バンド部の長さを調整可能としてもよい。
【要約】
【課題】後頭部の日除け機能を備えた帽子における不都合を解消すること。
【解決手段】前頭部に当接させられる前側バンド部（２１）および後頭部に当接させられる後側バンド部（２２）を有する環状のバンド体（２）と、前側バンド部（２１）につながり、前頭部を覆う第１本体部（１１）と、第１本体部（１１）につながり、かつ後側バンド部（２２）の上方を経て当該後側バンド部（２２）の後方に延びており、後端縁（１２４）が相対的に上位に位置する縮小状態、および上記縮小状態から下方に延びて後端縁（１２４）が相対的に下位であって後側バンド部（２２）よりも下位に位置する延出状態、をとるように形状変更可能に構成された第２本体部（１２）と、第２本体部（１２）が上記縮小状態および上記延出状態をとるときの各々の形状を保持する形状保持手段と、を備える。【図１】
0005420799.tif 000002
【図２】
0005420799.tif 000003
【図３】
0005420799.tif 000004
【図４】
0005420799.tif 000005
【図５】
0005420799.tif 000006
【図６】
0005420799.tif 000007
【図７】
0005420799.tif 000008
【図８】
0005420799.tif 000009
【図９】
0005420799.tif 000010
【図１０】
0005420799.tif 000011
【図１１】
0005420799.tif 000012